(57)【要約】【課題】軌道の分岐部で効率よく確実なタンピング作業を行うことがでる軌道用タンピング装置を提供する。【解決手段】軌道用タンピング装置１０は、軌道上を移動可能な台車２０と、台車２０に設けられ、タンピング作業を行うタンピングツール３６ａ，３６ｂを有するタンピング作業部と、タンピング作業部を、軌道に交わる方向に移動させる移動手段２２とを含む。【選択図】図１
2015052243.tif 000002
【特許請求の範囲】
【請求項１】
軌道上を移動可能な台車と、
前記台車に設けられ、タンピング作業を行うタンピングツールを有するタンピング作業部と、
前記タンピング作業部を、軌道に交わる方向に移動させる移動手段とを含む、軌道用タンピング装置。
【請求項２】
前記台車は、前記軌道の延在する方向に相互に間隔を開けてそれぞれの開口部が対向するように配置された一対のＣ型鋼を含み、
前記Ｃ形鋼の開口部には、前記開口部に沿って移動する移動部材が設けられ、
前記移動手段は、前記移動部材を含む、請求項１に記載の軌道用タンピング装置。
【請求項３】
前記タンピング作業部は油圧ユニットによって駆動され、
前記台車は前記油圧ユニットおよび前記タンピング作業部を載置する、請求項１または２に記載の軌道用タンピング装置。
【発明の詳細な説明】
【技術分野】
【０００１】
この発明は軌道用タンピング装置に関し、特に、軌道の分岐部に使用される軌道用タンピング装置に関する。
【背景技術】
【０００２】
従来の軌道用タンピング装置が、例えば、特開２０１０−２６１１９２号公報（特許文献１）に記載されている。特許文献１によれば、軌道用タンピング装置は、鉄道レールの枕木下のバラスト道床を突き固めるために用いられる。従来の軌道用タンピング装置は、効率よく確実なタンピング作業を行うことができ、且つレール上に対する装置の設置および撤去を素早く行うことができる。
【先行技術文献】
【特許文献】
【０００３】
【特許文献１】特開２０１０−２６１１９２号公報（要約等）
【発明の概要】
【発明が解決しようとする課題】
【０００４】
従来の軌道用タンピング装置は上記のように構成されていた。効率よく確実なタンピング作業を行うことができ、且つレール上に対する装置の設置および撤去を素早く行うことのできるという利点はあったが、一定間隔に固定された一般の軌道部分のみを対象としているため、軌道の分岐部でのタンピングができないという問題があった。
【０００５】
この発明は上記のような問題点を解消するためになされたもので、軌道の分岐部で効率よく確実なタンピング作業を行うことがでる軌道用タンピング装置を提供することを目的とする。
【課題を解決するための手段】
【０００６】
この発明に係る軌道用タンピング装置は、軌道上を移動可能な台車と、台車に設けられ、タンピング作業を行うタンピングツールを有するタンピング作業部と、タンピング作業部を、軌道に交わる方向に移動させる移動手段と、を含む。
【０００７】
好ましくは、台車は、軌道の延在する方向に相互に間隔を開けてそれぞれの開口部が対向するように配置された一対のＣ型鋼を含み、Ｃ形鋼の開口部には、開口部に沿って移動する移動部材が設けられ、移動手段は、移動部材を含む。
【０００８】
さらに好ましくは、タンピング作業部は油圧ユニットによって駆動され、台車は油圧ユニットおよびタンピング作業部を載置する。
【発明の効果】
【０００９】
この発明によれば、軌道上を移動可能な台車にタンピング作業を行うタンピング作業部を設け、タンピング作業部を、軌道に交わる方向に移動させるようにした。
【００１０】
その結果、軌道の分岐部で効率よく確実なタンピング作業を行うことができる軌道用タンピング装置を提供できる。
【図面の簡単な説明】
【００１１】
【図１】この発明の一実施の形態に係る軌道用タンピング装置の側面図である。
【図２】軌道用タンピング装置の正面図である。
【図３】軌道用タンピング装置の平面図である。
【発明を実施するための形態】
【００１２】
以下、この発明の一実施の形態について図面を参照して説明する。図１は、この発明の一実施の形態に係る軌道用タンピング装置１０の側面図であり、図２は図１において、矢印ＩＩ−ＩＩで示す部分の矢視図（正面図）であり、図３は図１おいて、矢印ＩＩＩ−ＩＩＩで示す部分の矢視図（平面図）である。なお、それぞれの図において、相互間の矢視をＩ-Ｉ(図１)、ＩＩ-ＩＩ（図２）、ＩＩＩ−ＩＩＩ（図３）で示す。
【００１３】
図１〜３を参照して、軌道用タンピング装置１０は、一対のレール(軌道)１１ａ，１１ｂ上を走行可能に設けられた台車２０と、台車２０上に設けられた作業ユニット３０とを含む。
【００１４】
台車２０は、上方向から見ると矩形状であり、レール１１ａ，１１ｂに直交する一対の第１台枠部材２１a、２１ｂと、レールに平行な方向に延在する一対の第２台枠部材２１ｃ、２１ｄとを含む。第１台枠部材２１a、２１ｂはＣ型鋼（チャネル鋼（溝型鋼）でもよい）で構成され、それぞれの開口部が対向するように配置されている。ここで、第２台枠部材２１ｃ、２１ｄ間の間隔は、レール１１ａ，１１ｂ間よりも広い方が好ましい。
【００１５】
第１台枠部材２１ａ，２１ｂには、それぞれ、レール１１ａ，１１ｂ上を走行するための一対の車輪５１ａ、５１ｂ、５２ａ，５２ｂが設けられている。第２台枠部材２１ｃ，２１ｄは第１台枠部材２１ａ，２１ｂの両端部において、その下部を接続する鋼材で構成されてもよい。
【００１６】
それぞれのＣ型鋼の開口内には、レールに沿って、その両端部に一対の車輪２２ａ、２２ｂを有する長手部材２２が設けられ、これらの一対の長手部材２２はその両端部で第１接続部材２３ａ，２３ｂによって接続されている。第１接続部材２３ａ，２３ｂの上にタンピング作業を行う作業ユニット（タンピング作業部）３０が設けられる。ここで、両端部に一対の車輪２２ａ、２２ｂを有する長手部材２２は移動部材を構成し、第１台枠部材２１ａ，２１ｂに設けられた一対の、車輪２２ａ、２２ｂを有する長手部材２２は移動手段を構成する。
【００１７】
なお、長手部材２２を含む移動部材が第１台枠部材２１ａ，２１ｂの端部から脱落しないように、両端部にはストッパを設けるのが好ましい。ストッパは、第１台枠部材２１ａ，２１ｂを構成するＣ形鋼の対向するフランジに貫通孔を設け、この貫通孔を貫通するピンを設け、このピンを貫通孔に挿入するようにするのが好ましい。
【００１８】
第１接続部材２３ａ，２３ｂの中央部には、その垂直上方向に延在するように相互に間隔をあけて設けられた一対の支持部材２４ａ、２４ｂが設けられ、一対の支持部材２４a，２４ｂはその上端で上部接続部材２５で接続されている。また、一対の支持部材２４ａ，２４ｂには、それに沿って上下方向に昇降可能な昇降部材２６が設けられている。
【００１９】
昇降部材２６は上部に平面を有しその平面上に油圧ユニット３２と、油圧ユニット３２を駆動するためのエンジン３１とが設けられる。昇降部材２６と上部接続部材２５とは、昇降用の油圧シリンダ２７で接続されている。この昇降部材２６の高さ方向の位置は調整可能である。
【００２０】
昇降部材２６のレールに沿った一方側の端部には、タンピング作業を行うためのタンピングツールを駆動するための操作部２８が設けられている。操作部２８は、昇降部材２６の高さ方向の位置や、後に説明するタンピングツール３６ａ，３６ｂの作動速度等を操作する。
【００２１】
エンジン３１の出力部と油圧ユニット３２の入力部にはそれぞれプーリ３１ａ，３２ａが設けられ、それぞれのプーリ３１ａ，３２ａはベルト３３で接続されている。
【００２２】
また、昇降部材２６の下方には、ダンパ４０ａ，４０ｂを介して振動部３５が設けられる。振動部３５は上部に平面を有し、その平面上にタンピング作業を行うタンピングツール３６a、３６ｂを作動させるためのタンピング用油圧シリンダ３７ａ，３７ｂが設けられている。タンピング用油圧シリンダ３７ａ，３７ｂは、振動部３５に設けられた、レールに直交する方向に延在する軸３８にそれぞれの一端を接続されている。それぞれの他方端は、下方向に延在する一対の接続部材３９ａ，３９ｂに接続され、一対の接続部材３９ａ，３９ｂのそれぞれの下方向の端部に一対の棒状のタンピングツール３６ａ，３６ｂが設けられている。
【００２３】
なお、エンジン３１の出力部のプーリ３１ａと、振動部３５に設けられたプーリ３５ａとはベルト３４で接続され、それによって、振動部３５は振動する。
【００２４】
また、タンピングツール３６ａ，３６ｂの基本的な作動状態は特許文献１も記載されたものと同様であるので、ここでは詳細な説明を省略する。
【００２５】
次に、この実施の形態に係る軌道用タンピング装置１０の動作について説明する。
【００２６】
台車２０に取付けられている４つの車輪５１ａ，５１ｂ，５２ａ，５２ｂは、絶縁樹脂製、あるいは絶縁樹脂で被覆されており、これによって、タンピング作業を行う任意の分岐部に軌道用タンピング装置１０が移動される。その位置で、一対の車輪５２ａ、５２ｂを有する長手部材２２を、レール１１ａ，１１ｂに交わる方向の任意の位置に移動させる。その位置で、操作部２８を操作してタンピングツール３６ａ，３６ｂを作動させてタンピング作業を行う。
【００２７】
これらの移動は人力によってでもよいし、モータ等の駆動装置を用いて行ってもよい。
【００２８】
また、ここでは、軌道用タンピング装置自身の重量が重いため、特に作業位置における軌道用タンピング装置１０の固定を行っていない。しかしながら、必要であれば、軌道用タンピング装置１０に所定の位置で固定するような、車輪にストッパを設けてもよい。
【００２９】
なお、上記実施の形態においては、台車の上には、軌道用タンピング装置を１台設ける場合について説明したがこれに限らず、２台以上設けてもよい。
【００３０】
このとき、第１台枠部材２１ａ，２１ｂの端部に設けたストッパを上記したような貫通孔とピンとから構成しておけば、軌道用タンピング装置の追加や除去を容易に行うことができる。
【００３１】
また、ストッパを外すことにより、作業ユニット３０を保持する移動手段を第１および第２台枠部材２１ａ〜２１ｄから容易に外すことが可能であるため、この構成に係る軌道用タンピング装置は、必要なときは、人力で起動上から撤去が可能である。
【００３２】
さらに、この逆の手順によって、軌道上に軌道用タンピング装置を設置できる。
【００３３】
なお、上記実施の形態においては、作業ユニット３０を保持する移動手段を第１および第２台枠部材２１ａ〜２１ｄから外す方法としてストッパを外すことにより行ったが、これに限らず、作業ユニットを移動手段にボルトを含むねじ機構によって着脱自在に取付け、このボルトを外して作業ユニットと移動手段とを個別に台車から外すようにしてもよい。
【００３４】
また、上記実施の形態においては、移動部材として、Ｃ形鋼と、その内部に収容された、両端部に一対の車輪を有する長手部材を例示したが、これに限らず、移動部材が落下することなく、レールに交わる方向に移動が可能な構成であれば、任意の構成を採用してもよい。
【００３５】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【産業上の利用可能性】
【００３６】
この発明によれば、軌道の分岐部で効率よく確実なタンピング作業を行うことができるため、軌道用タンピング装置として有利に利用される。
【符号の説明】
【００３７】
１０  軌道用タンピング装置、１１ａ，１１ｂ  レール、２０  台車、２１ａ，２１ｂ第１台枠部材、２１ｃ，２１ｄ  第２台枠部材、２２  長手部材、２３ａ，２３ｂ  第１接続部材、２４ａ，２４ｂ  支持部材、２５  上部接続部材、２６  昇降部材、２７  昇降用油圧シリンダ、３０  作業ユニット、３１  エンジン、３２  油圧ユニット、３５  振動部、３６ａ，３６ｂ  タンピングツール、３７ａ，３７ｂ  タンピング用油圧シリンダ、３８  軸、３９ａ，３９ｂ  接続部材。
【図１】
2015052243.tif 000003
【図２】
2015052243.tif 000004
【図３】
2015052243.tif 000005